(57)【要約】【課題】貯湯ユニットの後面板の中段部に１対の把手部材を設けると共に貯湯ユニットの前部の補機収容部の底壁部を把持部として有効活用可能にした貯湯ユニットを提供する。【解決手段】外装ケース(5)内に、貯湯タンク(6)を収容するタンク収容部(7)とこのタンク収容部(7)の前側に隣接配置された補機収容部(8)とを備え、補機収容部(8)の下側に複数の配管類を配置する配管スペース部(9)を設けた貯湯ユニット(3)において、補機収容部(8)の下端部に、縦向き姿勢にした貯湯ユニット(3)の搬送時に前方から両手を掛けて支持可能な底壁部(20)を備え、外装ケース(5)の後面板(14)のうちの底壁部(20)と略同レベルの部位に、縦向き姿勢にした貯湯ユニット(3)の搬送時に両手を掛けて支持可能な左右１対の把手部材(22)を設けた。【選択図】図５
2020003119.tif 000002
【特許請求の範囲】
【請求項１】
外装ケース内に、貯湯タンクを収容するタンク収容部とこのタンク収容部の前側に隣接配置された補機収容部とを備え、前記補機収容部の下側に複数の配管類を配置する配管スペース部を設けた貯湯ユニットにおいて、
前記補機収容部の下端部に、縦向き姿勢にした前記貯湯ユニットの搬送時に支持可能な底壁部を備え、
前記外装ケースの後面板のうちの前記底壁部と略同高さの部位に、縦向き姿勢にした前記貯湯ユニットの搬送時に支持可能な左右１対の把手部材を設けたことを特徴とする貯湯ユニット。
【請求項２】
前記把手部材は手を掛けるための手掛り部を有し、
前記手掛り部の上端が前記底壁部と同高さの位置に位置していることを特徴とする請求項１に記載の貯湯ユニット。
【請求項３】
前記後面板の内面には後面板における１対の把手部材の周辺部を補強する補強板が取付けられ、前記１対の把手部材は、前記後面板と補強板に形成した係合穴に係合される係合凸部を夫々有することを特徴とする請求項１又は２に記載の貯湯ユニット。
【発明の詳細な説明】
【技術分野】
【０００１】
本発明は、貯湯ユニットに関し、特に貯湯ユニットを縦向き姿勢にして搬送する際に手で把持するための構造を改善した貯湯ユニットに関する。
【背景技術】
【０００２】
従来から、給湯に使用する湯水を予め熱源機で加熱して円筒状の貯湯タンクに貯留し、貯留した湯水を調温して給湯する貯湯給湯装置が広く使用されている。このような貯湯給湯装置はヒートポンプ式熱源機等の外部熱源機を備え、外部熱源機で加熱した高温の湯水を貯湯ユニットに収容された貯湯タンクの上部から貯留するように構成されている。給湯時に貯留された湯水を出湯できない場合には、貯湯ユニットに装備された例えば燃焼式の補助熱源機により加熱した湯水を出湯する。
【０００３】
貯湯ユニットの外装ケースはほぼ直方体状に形成され、この外装ケース内には、保温材に覆われた円筒状の貯湯タンクを収容するタンク収容部と、タンク収容部の前側に隣接配置され且つ補助熱源機等の補機を収容する補機収容部とが設けられている。そして、この補機収容部の下側に配管類を配置する配管スペース部が設けられている。
【０００４】
前記貯湯ユニットは重量物で、大型の貯湯ユニットでは９０ｋｇもの重量があるため、貯湯ユニットを軒下等の据え付け場所へ搬送する場合、通常は貯湯ユニットを横倒し状態にし、貯湯ユニットの両端部を２名の作業者が手で支持して搬送する。
このとき、一端側では貯湯ユニットの脚部材等を把持することができるが、他端側では外装ケースを把持することになるため、外装ケースに１対の把持部を設けることが多い。
【０００５】
特許文献１の貯湯タンクユニットにおいては、外装ケースの上端部の背部に把持部とし  ての材張出し部を形成している。
特許文献２の貯湯式給湯機においては、外装ケースの後面板の上端部に凹入部を有する１対の取手を取付けている。
特許文献３の貯湯タンクユニットにおいては、外装ケースの後面板の上端部に凹入部を有する１対の取手を取付けている。前記凹入部は、貯湯タンクユニットの長手方向に細長く形成されている。
【先行技術文献】
【特許文献】
【０００６】
【特許文献１】特許第４９８８４１６号公報
【特許文献２】特許第５２４７４２３号公報
【特許文献３】特許第６２２３３０３号公報
【発明の概要】
【発明が解決しようとする課題】
【０００７】
貯湯ユニットを搬送する軒下の搬送経路の幅が狭く且つその搬送経路にＬ形の屈曲部があるような場合、貯湯ユニットを横倒し状態にして搬送できないため、縦向き姿勢にして搬送しなければならない。その対策として、貯湯ユニットの外装ケースの中段部の前後両面に1対の把持部を夫々設けることが望ましいが、把持部の部材数が多くなり、それらの取付けコストも高価になるうえ、外装ケースの前面板に１対の把持部を露出状態に取付けると貯湯ユニットの外観の意匠性が損なわれる。
【０００８】
本発明の目的は、貯湯ユニットの後面板の中段部に１対の把手部材を設けると共に貯湯ユニットの前部の補機収容部の底壁部を把持部として有効活用可能にした貯湯ユニットを提供することである。
【課題を解決するための手段】
【０００９】
請求項１の貯湯ユニットは、外装ケース内に、貯湯タンクを収容するタンク収容部とこのタンク収容部の前側に隣接配置された補機収容部とを備え、前記補機収容部の下側に複数の配管類を配置する配管スペース部を設けた貯湯ユニットにおいて、前記補機収容部の下端部に、縦向き姿勢にした前記貯湯ユニットの搬送時に支持可能な底壁部を備え、
前記外装ケースの後面板のうちの前記底壁部と略同高さの部位に、縦向き姿勢にした前記貯湯ユニットの搬送時に支持可能な左右１対の把手部材を設けたことを特徴としている。
【００１０】
上記の構成によれば、補機収容部の底壁部を、貯湯ユニットの搬送時に支持可能な把持部として有効活用するため、外装ケースの前面板に別部材からなる把持部材を設ける必要がなく、製作コストを低減できるうえ、外装ケースの前面板に把持部材が露出することもないため、外装ケースの前面の意匠性を損なう虞もない。
しかも、前記外装ケースの後面板のうちの前記底壁部と略同高さの部位に、前記貯湯ユニットの搬送時に支持可能な左右１対の把手部材を設けるため、外装ケースの前面と後面のほぼ同高さの部位を把持して搬送できるため、安定した搬送が可能になる。
【００１１】
請求項２の発明は、請求項１の発明において、前記把手部材は手を掛けるための手掛り部を有し、前記手掛り部の上端が前記底壁部と同高さの位置に位置していることを特徴としている。
上記の構成によれば、前記把手部材の手掛り部の上端が前記底壁部と同高さの位置に位置しているため、一層安定した搬送が可能になる。
【００１２】
請求項３の発明は、請求項１又は２の発明において、前記後面板の内面には後面板における１対の把手部材の周辺部を補強する補強板が取付けられ、前記１対の把手部材は、前記後面板と補強板に形成した係合穴に係合される係合凸部を夫々有することを特徴としている。
上記の構成によれば、前記後面板における１対の把手部材からの荷重が作用する周辺部を補強板により補強することができ、後面板と補強板に形成した係合穴に把手部材の係合凸部を係合させるため、把手部材から後面板と補強板への荷重伝達を効果的に行うことができる。
【発明の効果】
【００１３】
上記のように、本発明は種々の優れた作用、効果を奏する。
【図面の簡単な説明】
【００１４】
【図１】本発明の実施例に係る貯湯給湯装置の平面図である。
【図２】貯湯ユニットの斜視図である。
【図３】貯湯ユニットの外装ケースの前面と後面と左側面と右側面及び天面の板材を取り外した状態を示す斜視図である。
【図４】貯湯ユニットの正面図である。
【図５】貯湯ユニットの右側面図である。
【図６】貯湯ユニットの後面図である。
【図７】外装ケースの後面板の要部と補強板と把持部材の分解斜視図である。
【図８】図６のVIII−VIII線断面図である。
【図９】把持部材を右後方から視た斜視図である。
【図１０】把持部材を左前方から視た斜視図である。
【発明を実施するための形態】
【００１５】
以下、本発明を実施するための形態について実施例に基づいて説明する。
【実施例】
【００１６】
最初に、貯湯給湯装置１について、図１に基づいて説明する。
貯湯給湯装置１は、外部熱源機２と貯湯ユニット３が入水管４ａと出湯管４ｂにより接続され、入水管４ａを通って貯湯ユニット３から外部熱源機２に供給された湯水は、外部熱源機２により加熱されて出湯管４ｂを通って貯湯ユニット３に戻る。外部熱源機２は、ヒートポンプ式熱源機又は燃料電池の発電時の排熱を利用して加熱する熱源機である。
【００１７】
次に、貯湯ユニット３について、図２〜図５に基づいて説明する。
尚、図中の矢印Ｆは前方を示し、矢印Ｒは右方を示し、矢印Ｕは上方を示す。
貯湯ユニット３は、その左側面が建物の外壁に対面するように設置される。この貯湯ユニット３の外装ケース５はほぼ直方体状に形成され、この外装ケース５内には、貯湯タンク６を収容するタンク収容部７と、タンク収容部７の前側に隣接配置された補機収容部８が設けられている。補機収容部８には、燃焼式の補助熱源機、ポンプ、追焚用熱交換器、暖房用熱交換器等の補機類及び制御部等が収容され、その下部には外部から導入された配管等を接続するための配管スペース部９が設けられている。
【００１８】
外装ケース５は、貯湯タンク６や補機類を支持するためのフレーム部材１０と、フレーム部材１０に夫々着脱可能に付設される前面板１１、右側面板１２、左側面板１３、後面板１４、天面板１５等を有する。前面板１１の上端付近には補助熱源機の排気口１６が設けられている。配管スペース部９の前面の開口部９ａは開放され、建物の外壁に対面する左側面の開口部９ｂは開放されている。
【００１９】
タンク収容部７には、円筒状の貯湯タンク６がその軸方向を鉛直にした姿勢で収容されている。貯湯タンク６は、例えば外形が略直方体状に形成された発泡樹脂製の保温材１８で覆われている。
【００２０】
次に、配管スペース部９について説明する。
補機収容部８の下側の配管スペース部９には、建物の外壁に設けられたスリーブ内に導設された複数の配管（図示略）が左側面の開口部９ｂを介して導入され、補機収容部８の対応する接続部に接続される。配管等は施工性と耐久性を両立可能な合成樹脂製の配管であり可撓性を備えている。
【００２１】
次に、貯湯ユニット３を据え付ける際に、縦向き姿勢にした貯湯ユニット３を搬送する際に把持するための把持機構の構成について説明する。
図３、図４に示すように、補機収容部８の下端部（底部）には、補機類を搭載したり、配管類を貫通させたり、補機収容部８の４隅のフレーム部材１０同士を連結したりするための水平な底壁部２０が設けられ、この底壁部２０の外周４辺には剛性向上のための小さな上下幅の縦フランジ２０ａが一体形成され、底壁部２０の４つの角部は４隅のフレーム部材１０にビスにて固定されている。
【００２２】
前記の底壁部２０は、縦向き姿勢にした貯湯ユニット３の搬送時に前方から手を掛けて支持可能な剛性を有するもので、底壁部２０の前端部分の左部と右部には、把持部として機能する把持部相当部２１ａ，２１ｂが形成されている。
【００２３】
図５〜図１０に示すように、外装ケース５の後面板１４のうちの上記の底壁部２０と略同高さの部位に、縦向き姿勢にした貯湯ユニット３の搬送時に手を掛けて支持可能な左右１対の把手部材２２が設けられている。
即ち、図５において、貯湯ユニット３の下端から底壁部２０までの高さＨ１は、貯湯ユニット３の下端から１対の把手部材２２までの高さＨ２とほぼ等しく設定されている。
【００２４】
後面板１４の内面には後面板１４における１対の把手部材２２の周辺部を補強する補強板２３が取付けられている。この補強板２３は、把手部材２２の上下幅よりも大きな上下幅と、後面板１４の左右幅とほぼ等しい左右幅を有し、補強板２３は後面板１４の内面に当接され、把手部材２２を固定する左右１対のビス２４により後面板１４に固定されている。矩形状の補強板２３の４辺には、剛性向上のため前方へ折り曲げた小幅のフランジ部２３ａが形成されている。
【００２５】
把手部材２２は合成樹脂製の成形品で構成され、把手部材２２は後面板１４の外面に当接される把手本体部２５と、この把手本体部２５から前方へ突出し且つ後面板１４と補強板２３に形成した係合穴２７，２８に係合される係合凸部２６とを有する。
【００２６】
把手本体部２５と係合凸部２６とに、前方へ向って斜め上方へ凹入され且つ手の指４本を挿入可能な凹部２９ａであって後端が開放状の凹部２９ａが形成され、この凹部２９ａの上側の壁部が手掛り部２９となっている。この手掛り部２９の上端２９ｂが底壁部２０と同レベルの位置に位置している。把手部材２２の係合凸部２６の左端近傍部と右端近傍部には、後面板１４と補強板２３の係合穴２７，２８の上端縁に当接する当接部２６ａが形成されている。尚、把手本体部２５の上端部の後部には浅い凹部３４が形成されている。
【００２７】
把手本体部２５の下端近傍部の中央部には、下方へ膨らんだビス穴形成部３０が形成され、このビス穴形成部３０に前記のビス２４を通すためのビス穴３１が形成されている。
そのビス穴３１と後面板１４のビス穴３２と、補強板２３のビス穴３３とにビス２４を貫通させて締結することで、把手部材２２と補強板２３とが共締めにて後面板１４に固定されている。
【００２８】
縦向き姿勢にした貯湯ユニット３を搬送する際、１対の把手部材２２の手掛り部２９に手を掛けて貯湯ユニット３の後部を支持するとき、１対の把手部材２２の上記の当接部  ２６ａから係合穴２７，２８の上端縁に荷重が伝達され、その荷重が後面板１４に伝達される。
【００２９】
次に、上記の貯湯ユニット３の作用、効果について説明する。
貯湯ユニット３の据え付けの際、縦向き姿勢にした貯湯ユニット３を２人の作業者により搬送する際に、貯湯ユニット３の前部を支持する前側の作業者は、補機収容部８の底壁部２０の前端部の把持部相当部２１ａ，２１ｂを両手で支持し、貯湯ユニット３の後部を支持する後側の作業者は、１対の把手部材２２の手掛り部２９に両手を掛けて支持した状態で搬送する。但し、２名の作動者の各々が底壁部２０と把手部材２２の手掛り部２９に手を掛けて支持することも可能である。
【００３０】
このとき、外装ケース５の後面板１４のうちの底壁部２０と略同高さの部位に、左右１対の把手部材２２を設けるため、外装ケース５の前面と後面のほぼ同高さの部位を把持して搬送できるため、安定した搬送が可能になる。
【００３１】
補機収容部８の底壁部２０を、貯湯ユニット３の搬送時に前方から支持可能な把持部として有効活用するため、外装ケース５の前面板１１に別部材からなる把持部材を設ける必要がなく、製作コストを低減できるうえ、外装ケース５の前面板１１に把持部材が露出することもないため、外装ケース５の前面の意匠性を損なう虞もない。
【００３２】
把手部材２２の手掛り部２９の上端２９ｂが底壁部２０と同高さの位置に位置しているため、一層安定した搬送が可能になる。しかも、手掛り部２９は前方上り傾斜状に形成されているため、手掛り機能に優れる。
後面板１４における１対の把手部材２２からの荷重が作用する周辺部を補強板２３  により補強することができ、後面板１４と補強板２３に形成した係合穴２７，２８に把手部材２２の係合凸部２６を係合させるため、把手部材２２から後面板１４と補強板２３への荷重伝達を効果的に行うことができる。
【００３３】
尚、補強板２３の左右両端部のフランジ部２３ａを左右のフレーム部材１０に複数のビスにて固定してもよい。また、把手部材２２の凹部３４は省略してもよいし、把手部材２２の形状は一例を示すもので、図示の形状に限定されるものではない。
その他、当業者ならば、本発明の趣旨を逸脱しない範囲で前記実施例に種々の変更を付加した形態で実施することができる。
【符号の説明】
【００３４】
３      貯湯ユニット
５      外装ケース
６      貯湯タンク
７      タンク収容部
８      補機収容部
９      配管スペース
２０    底壁部
２２    把手部材
２３    補強板
２６    係合凸部
２７，２８    係合穴
２９    手掛り部
【図１】
2020003119.tif 000003
【図２】
2020003119.tif 000004
【図３】
2020003119.tif 000005
【図４】
2020003119.tif 000006
【図５】
2020003119.tif 000007
【図６】
2020003119.tif 000008
【図７】
2020003119.tif 000009
【図８】
2020003119.tif 000010
【図９】
2020003119.tif 000011
【図１０】
2020003119.tif 000012